(57)【要約】      （修正有）【課題】初心者でも簡単かつ容易迅速に組み立てることができ、支障なく使用できる水耕栽培用器具セットを提供する。【解決手段】水耕栽培用水槽と、該水槽に設置する酸素供給装置と、水槽底に散布する包装好気性微生物とを組み合わせたことを特徴とする水耕栽培用器具セットである。セットされた水耕栽培装置を組み立てることにより、そのまま使用することができ、またこの器具セットを使用することによって長く水槽内を清潔に保つことができるので、水を頻繁に交換する必要がない。【選択図】図１
0003148656.tif 000002
【実用新案登録請求の範囲】
【請求項１】
水耕栽培用水槽と、該水槽に設置する酸素供給装置と、水槽底に散布する包装好気性微生物とを組み合わせたことを特徴とする水耕栽培用器具セット。
【請求項２】
水耕栽培用水槽と、播種する為の水槽付属器具と、該水槽に設置する酸素供給装置と、水槽底に散布する包装好気性微生物と微生物用担体とを組み合わせたことを特徴とする水耕栽培用器具セット。
【請求項３】
水耕栽培用水槽と、播種する為の水槽付属器具と、該水槽に設置する酸素供給装置と、栽培すべき植物種子と、水槽底に散布する包装好気性微生物と微生物用担体とを組み合わせたことを特徴とする水耕栽培用器具セット。
【請求項４】
酸素供給装置は、散水装置又は曝気装置としたことを特徴とする請求項１，２，３の何れか１つ記載の水耕栽培用器具セット。
【請求項５】
微生物用担体は、砂、砂利、セラミック粒、又は合成樹脂成形物としたことを特徴とする請求項２又は３記載の水耕栽培用器具セット。
【請求項６】
水槽付属器具は、鉢、植物の支持具又は水槽台としたことを特徴とする請求項２又は３記載の水耕栽培用器具セット。
【請求項７】
請求項１又は２記載の水耕栽培用器具セットを用いて構成したことを特徴とする水耕栽培装置。
【考案の詳細な説明】
【技術分野】
【０００１】
この考案は、植物を水耕栽培する際用いることを目的とした水耕栽培用器具セットに関するものである。
【背景技術】
【０００２】
従来水耕栽培は、農作物又は園芸植物の栽培に採用されているが、これに使用する水耕栽培器具は、一品製作器具を集めて、これを現地で組み立て、又は夫々の必要に応じ新しく設計した装置とされており、必要器具は、設計に応じて個々に求められていた。従って前記必要器具は、セットとして構成されていない為に、現存器具に合わせて設計するか、又は前記のように少なくとも器具の一部を新しく作って、水耕栽培設備を完成していた。
【特許文献１】特許第２６０７６０２号公報
【特許文献２】特許第２７７１６３１号公報
【特許文献３】特開２００６−４２７６５号公報
【特許文献４】特許第３４７６１５４号公報
【考案の開示】
【考案が解決しようとする課題】
【０００３】
従来水耕栽培は、栽培槽と液肥槽を備えて、液肥を適宜栽培槽へ移すようにしした水耕栽培装置が提案されている（特許文献１，２）。また多品種対応万能の水耕設備の提案もある（特許文献３）。更に直接の目的は水耕栽培ではないが、セラミック濾材、水槽、殺菌灯及び曝気装置により構成した鑑賞用水槽の提案もある（特許文献４）。
【０００４】
前記特許文献１〜３は何れも特定された装置である。また特許文献４はセット販売できるけれども、特定魚の鑑賞用水槽であり、水耕栽培用は考慮外となっている。
【０００５】
前記特許文献１〜３の各装置においては、施肥及び曝気について考慮されているが、水槽内の自浄作用については考慮されていないので、１植物１栽培毎になっており、かつ頻繁に使用水を取り換えなければならない。
【０００６】
前記特許文献１においては、ポンプやヒータ等の電気部品を取扱い容易にすると共に、取り外し自在のセットとして対応し得るようにしたものであるが、本願考案のように、微生物床及び好気性微生物をセットとすることにより、従来出来なかった槽内水の長時間連続使用を達成出来るようにしたり、植物の活性促進又は、魚類の健康を促進し得るものではなかった。
【０００７】
また特許文献２，３の装置は使用者の注文に応じて製作されるようにも考えられ、少なくとも使用者が適宜買い求めて、自分で組み立て得る装置ではないものと認められる。その他、前記公知の水耕栽培装置には自浄作用についての配慮がない。
【課題を解決するための手段】
【０００８】
この考案は、水耕栽培用器具をセット販売すると共に、水耕栽培装置において使用水に自浄作用を付与すべく好気性微生物を配し、前記従来の継続使用期間を飛躍的に長期化することに成功したのである。
【０００９】
例えば水耕栽培と、観賞を兼ねた水槽の場合には、２週間〜１ヶ月に１回の割合で水を取り換えなければ使用水の汚染が激しかったが、この考案のように好気性微生物を付与すれば、通常３ヶ月以上の連続使用に耐え得ることが認められた。特に水耕と、金魚水槽を兼用する場合には、従来は２週間もすれば使用水の汚染が目立つのが普通とされていたが、この考案のセットを用いれば、短くとも２ヶ月間同一鮮度（透明度）で使用し得ることが認められた。
【００１０】
またこの考案によれば、必要器具はセットされているので、初心者でも簡単かつ容易迅速に組み立て、支障なく使用することができる。
【００１１】
即ちこの考案は、水耕栽培用水槽と、該水槽に設置する酸素供給装置と、水槽底に散布する包装好気性微生物とを組み合わせたことを特徴とする水耕栽培用器具セットであり、水耕栽培用水槽と、播種する為の水槽付属器具と、該水槽に設置する酸素供給装置と、水槽底に散布する包装好気性微生物と微生物用担体とを組み合わせたことを特徴とする水耕栽培用器具セットである。
【００１２】
また、水耕栽培用水槽と、播種する為の水槽付属器具と、該水槽に設置する酸素供給装置と、栽培すべき植物種子と、水槽底に散布する包装好気性微生物と微生物用担体とを組み合わせたことを特徴とする水耕栽培用器具セットであり、酸素供給装置は、散水装置又は曝気装置としたものである。
【００１３】
更に、微生物用担体は、砂、砂利、セラミック粒又は合成樹脂成形物としたものであり、水槽付属器具は、鉢、植物の支持具又は水槽台としたものである。
【００１４】
また装置の考案は、請求項１又は２記載の水耕栽培用器具セットを用いて構成したことを特徴とする水耕栽培装置である。
【００１５】
前記において、包装好気性菌とは、例えば汚泥中に生存する好気性土壌菌であって、濾床により有機物を効率よく分解処理する好気性菌である。前記土壌菌を分離培養し、例えば包装好気性微生物２ｇを１袋に入れて（担体と栄養分共に袋に入れて）販売する。前記微生物の適数は、条件によって異なるので一定しないが、経験的に定める（例えば１ｇ中１０３〜１０６とか）。
【００１６】
前記散水装置は、送水ポンプと吸水パイプ、及び送水パイプと散水パイプのセットであって、吸水パイプにより水槽内の水を吸水し、散水パイプから、水槽の上部へ散水する。
【００１７】
また微生物用担体は、例えば砂、砂利、セラミックス粒、合成樹脂成形物（合成樹脂片、ハニカム状、その他従来公知の濾床材）がある。要は微生物を着床させて繁殖させ、有機物を合理的に分解させる「微生物床」を形成する物は使用することができる。
【００１８】
また植物の種子は、植物の種類、種子の大きさなどにより異なるが、例えば紙袋、合成樹脂袋その他の容器に入れてセット販売する。
【考案の効果】
【００１９】
この考案によれば、水耕栽培用器具セットを求めることにより、セットされた水耕栽培装置を組み立てることにより、そのまま使用することができる。またこの器具セットを使用することによって長く水槽内を清潔に保つことができるので、水を頻繁に交換する必要がない。また金魚などの観賞用と水耕栽培を兼用する場合においても、好気性微生物によって金魚の糞及び飼料の残渣などが分解処理される為に清掃浄化されて、水を取り換える期間をより長くし、比較的長期間の使用に耐えることができる効果がある。
【考案を実施するための最良の形態】
【００２０】
この考案は、水耕栽培用の水槽と、包装好気性微生物と、水槽の上部に取り付ける台と、鉢、仕切り板その他植物を支持する為の具体的器具と、散水装置と前記好気性微生物の担体（例えば砂）とを組み合わせて水耕栽培用器具セットを構成したものである。そこで水耕栽培を実施するには、前記器具セットを購入し、水槽に水を入れ、鉢に着床（例えば水ごけなど）を作って播種し、前記鉢の中央部以下まで水面が来るように、水槽上へ支える。鉢に代えて網袋その他の支持具を使用することができる。
【００２１】
次に水槽底へ吸水パイプを敷設し、水槽上へ散水パイプを架設し、ポンプを介装して、水槽底の水を吸水し、水槽上へ散水できるようにする。
【００２２】
この散水装置は、植物が発芽して柄葉が立ち上った頃から、一定時間毎に行う。また液肥を供給し、又は鉢内へ固形肥料を入れておいて散水と共に溶解するようにすることもできる。また水槽底には、砂利を１ｃｍ〜３ｃｍ程度敷き、砂利上へ好気性微生物を散布する。前記砂利に代えてセラミックス粒を敷くこともできる。
【００２３】
前記のようにすると、植物の生長につれて毛根が水槽底に向かって伸長し、又は有機固形物が砂利上に沈降することがっても、散水によって水中の溶存酸素量は高度に保たれるので（飽和酸素量を１とすれば、０．８〜０．９５位）、好気性微生物は適宜繁殖して、水中の有機物を分解する。この場合に、観賞用水槽を兼備して、金魚などの魚類用水槽を兼ねる場合においても、魚類の飼料又は糞などによる水質汚染を未然に防止することができる。また前記のように溶存酸素量が多いので魚類の生育にも良好な環境となる。
【００２４】
前記における好気性微生物は、植物の毛根に付着して雑菌浸入のバリアを作って植物を保護し、又は植物の組織内に浸入（吸収）されて、植物の栄養分吸入を補助するなど、植物の生育に好影響を与えるものと思われる（実験例による）。
【００２５】
即ち水の浄化のみならず、植物の生長にも直接寄与するものと推定される。未だ実験により確かめられていないが、好気性微生物の繁殖により、病害に強い植物を育成できると共に、肥料等の吸収を容易にし、施肥量の調整（節減）が可能である。
【００２６】
この考案における微生物セットの効果は「植物の生長促進効果」があり、「有害微生物防除資材」ともなる。また水の腐敗を防ぐ為に、植物の成長不良又は枯死を予防できる効果もある。
【００２７】
前記において、水槽中で魚類を飼育する場合には、植物の肥料は魚類にも好影響を与える物を使用することが好ましい。
【００２８】
前記のように、水耕栽培に必要な器具等をセットしてあるので、手軽に良好な水耕栽培を開始することができる。
【００２９】
前記におけるセットは、請求項１記載の考案の実施における具体例であるが、前記請求項１を基本とし、色々の付加物をセットすれば、目的とする水耕栽培を支障なく、容易に実施することができる。特に本願考案によれば、使用水を長期（例えば３ヶ月以上）に亘って交換しなくても、清浄に保つことができることを特色とするものである。
【実施例１】
【００３０】
この考案の実施例を図１について説明すると、水耕栽培用の水槽１の水面２８の上部に散水パイプ２を架設し、該散水パイプ２にポンプ３を接続すると共に、吸水パイプ４ａに吸水盤４を接続し、前記ポンプ３を駆動するモータ５を連結することにより、酸素供給装置６を構成する。また樹脂袋７に砂利８を封入し、紙袋９に好気性微生物１０（粉状）を封入する。次に植物の種子を播く為の水ごけ２７入り鉢１１と、鉢１１を水槽中に支持する孔１３のある支持板１２とをセットして、この考案の水耕栽培用器具セット１５とした。図中２６は水槽台である。前記における好気性微生物は、例えば水１００リットルに付２ｇ（微生物と栄養分入り）とする。
【００３１】
前記実施例において、水槽１の底１ａ上に砂利８を敷き、水を入れると共に、水槽内へ支持板１２をセットし、前記支持板１２の孔１３に鉢１１を嵌挿する。次に支持杆１４により、散水パイプ２を水槽１上にセットし、前記散水パイプ２とポンプ３とを送水パイプ１６で接続する。また吸水盤４を水槽１の一側下部へ敷設し、その一端を吸水パイプ４ａによりポンプ３に接続する。前記砂利は例えば１袋５ｋｇ入りとする。前記砂利に代えてセラミックス粒（例えばゼオライト４ｍｍ〜６ｍｍ粒）を入れると更によい。
【００３２】
前記実施例において、砂利に好気性微生物を散布した後、水槽１に水を注入すれば水耕栽培装置３０が完成する。
【００３３】
前記実施例は、散水により水中の溶存酸素量を維持したが、前記散水に代えて、曝気を行うこともできる。
【実施例２】
【００３４】
この実施例は、酸素の供給として散水装置によることなく、曝気による場合を図４について説明する。水槽１の中央底上へ、散気盤１７を設置し、散気盤１７に給気パイプ１８の一端を接続し、給気パイプ１８の他端にコンプレッサー１９を接続する。
【００３５】
そこでモータ２０を始動して、コンプレッサー１９を駆動すると、加圧空気は給気パイプ１８を介して散気盤１７から矢示２１のように吹き出して、上昇するので、水の流動を生起し、矢示２２，２３，２４のように水槽内を循環流動し、水槽中の水を上下対流させる。そこで所定時間続けると、水面の溶存酸素量の多い水（飽和酸素量の水）は上下対流によって水の上下層が撹拌流動され、遂には全水の溶存酸素量が向上し、かつ均一状態になる。
【００３６】
前記において、散気盤１７から吹き出す空気粒は、上昇中にその酸素を溶解すると共に、前記矢示２１，２２，２３，２４の対流によって、水面付近の酸素飽和水を、水底側へ巻き込むので、水槽中の溶存酸素量は急激に改善される。
【００３７】
前記曝気は、間欠的（例えば１日６時間）に行えば十分である。尤も夏季その他において植物の酸素使用量が多くなれば、曝気時間も長くする必要がある。
【００３８】
前記において、水中の溶存酸素量が増加すると、好気性微生物が有効の繁殖し、中底及び水中の有機物を分解するので、水は清浄に保たれる。
【００３９】
［実験例１］
この考案の水耕栽培装置を用いて行った実験例を下記のとおり説明する。
【００４０】
試験場所    近畿大学農学部
試験日      ２００６年９月１日〜２００７年２月２８日
調査項目    １．草丈
２．葉数
３．根
資材        水耕栽培槽（直方体状、水量１ｍ３）
生物資材（好気性菌）２ｇ
植物        トマト（品種  マイクロトム）
９株同一状態で植生し、平均値とした。
【００４１】
前記により測定した所、下表の結果を得た。
【表１】
0003148656.tif 000003
【図面の簡単な説明】
【００４２】
【図１】この考案の実施に使用する器具の展開図であって、（ａ）水槽の斜視図、（ｂ）散水装置の斜視図、（ｃ）支持板の拡大斜視図、（ｄ）散水パイプの支持具の斜視図、（ｅ）同じく包装砂利の一部を破切した斜視図、（ｆ）同じく鉢の斜視図、（ｇ）同じく包装微生物の一部を破切した斜視図。
【図２】（ａ）同じく散水の水耕栽培の一部を省略した断面拡大図、（ｂ）同じく吸水と散水を示す一部を省略した断面拡大図。
【図３】同じく一部を省略した平面拡大図。
【図４】（ａ）同じく曝気例を示す一部を省略した縦断拡大側面図、（ｂ）同じく一部を省略した縦断拡大正面図。
【符号の説明】
【００４３】
１  水槽
２  散水パイプ
３  ポンプ
４  吸水パイプ
５  モータ
６  酸素供給装置
７  樹脂袋
８  砂利
９  紙袋
１０  好気性微生物
１１  鉢
１２  支持板
１３  孔
１４  支持杆
１５  器具セット
１６  送水パイプ
１７  散気盤
１８  給気パイプ
１９  コンプレッサー
２０  モータ
【図１】
0003148656.tif 000004
【図２】
0003148656.tif 000005
【図３】
0003148656.tif 000006
【図４】
0003148656.tif 000007